【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
電極を有する放電灯に駆動電流を供給する放電灯駆動部と、
前記放電灯駆動部を制御する制御部と、
を備え、
前記制御部は、
前記放電灯に第１周波数を有する交流電流が供給される第１期間と、前記放電灯に直流電流が供給される第２期間とが交互に繰り返される混合期間と、
前記放電灯に前記第１周波数よりも小さい第２周波数を有する交流電流が供給される第３期間と、
前記放電灯に直流電流が供給される第１直流期間、および前記第１直流期間において前記放電灯に供給される前記直流電流の極性と反対の極性を有する直流電流が前記放電灯に供給される第２直流期間を交互に含む第４期間と、
が設けられるように前記放電灯駆動部を制御し、
前記第１直流期間の長さは、前記第２直流期間の長さよりも大きく、
前記第２直流期間の長さは、０．５ｍｓよりも小さく、
前記第４期間における前記第１直流期間の長さの合計は、前記第２期間の長さよりも大きく、前記第２周波数を有する交流電流の半周期の長さよりも大きいことを特徴とする放電灯駆動装置。
【請求項２】
前記第１直流期間の長さは、前記第２直流期間の長さの１０倍以上である、請求項１に記載の放電灯駆動装置。
【請求項３】
前記第４期間における前記第１直流期間の長さの合計は、１０ｍｓ以上、１．０ｓ以下である、請求項１または２に記載の放電灯駆動装置。
【請求項４】
前記混合期間は、複数設けられ、
前記第４期間は、時間的に隣り合う前記混合期間の間に設けられ、かつ、前記第１期間の直後に設けられる、請求項１から３のいずれか一項に記載の放電灯駆動装置。
【請求項５】
前記混合期間は、複数設けられ、
前記第３期間は、時間的に隣り合う前記混合期間の間に設けられ、かつ、前記第１期間の直後に設けられる、請求項１から４のいずれか一項に記載の放電灯駆動装置。
【請求項６】
前記制御部は、第１所定間隔ごとに、前記第３期間と前記第４期間とのうちのいずれか一方が設けられるように前記放電灯駆動部を制御する、請求項１から５のいずれか一項に記載の放電灯駆動装置。
【請求項７】
前記制御部は、前記第１所定間隔よりも大きい第２所定間隔ごとに、前記第３期間が設けられるように前記放電灯駆動部を制御する、請求項６に記載の放電灯駆動装置。
【請求項８】
前記制御部は、前記第２所定間隔において、
第１極性の直流電流が前記放電灯に供給される前記第１直流期間、および第２極性の直流電流が前記放電灯に供給される前記第２直流期間を交互に含む前記第４期間と、
第２極性の直流電流が前記放電灯に供給される前記第１直流期間、および第１極性の直流電流が前記放電灯に供給される前記第２直流期間を交互に含む前記第４期間と、
が設けられるように前記放電灯駆動部を制御する、請求項７に記載の放電灯駆動装置。
【請求項９】
前記第１周波数は、互いに異なる複数の周波数を含む、請求項１から８のいずれか一項に記載の放電灯駆動装置。
【請求項１０】
前記第１期間は、前記放電灯に供給される交流電流の周波数が互いに異なる交流期間を複数有し、
前記第１期間において、時間的に後に設けられる交流期間ほど前記交流電流の周波数が小さくなる、請求項９に記載の放電灯駆動装置。
【請求項１１】
前記第１直流期間において前記放電灯に供給される前記直流電流の極性および前記第２直流期間において前記放電灯に供給される前記直流電流の極性は、前記第４期間が設けられるごとに反転する、請求項１から１０のいずれか一項に記載の放電灯駆動装置。
【請求項１２】
前記第３期間は、設けられるごとに開始極性が反転する、請求項１から１１のいずれか一項に記載の放電灯駆動装置。
【請求項１３】
前記混合期間の前記第２期間において前記放電灯に供給される前記直流電流の極性は、前記第２期間が設けられるごとに反転する、請求項１から１２のいずれか一項に記載の放電灯駆動装置。
【請求項１４】
前記放電灯の電極間電圧を検出する電圧検出部をさらに備え、
前記制御部は、検出された前記電極間電圧および前記放電灯に供給される駆動電力の少なくとも一方に基づいて、前記第４期間における前記第１直流期間の長さの合計を変化させる、請求項１から１３のいずれか一項に記載の放電灯駆動装置。
【請求項１５】
前記制御部は、検出された前記電極間電圧に基づいて、前記第４期間における前記第１直流期間の長さの合計を設定し、
前記第４期間における前記第１直流期間の長さの合計は、前記電極間電圧が大きいほど大きく設定される、請求項１４に記載の放電灯駆動装置。
【請求項１６】
前記制御部は、前記駆動電力に基づいて、前記第４期間における前記第１直流期間の長さの合計を設定し、
前記第４期間における前記第１直流期間の長さの合計は、前記駆動電力が大きいほど小さく設定される、請求項１４または１５に記載の放電灯駆動装置。
【請求項１７】
前記放電灯の電極間電圧を検出する電圧検出部をさらに備え、
前記制御部は、検出された前記電極間電圧および前記放電灯に供給される駆動電力の少なくとも一方に基づいて、前記第２期間の長さを変化させる、請求項１から１６のいずれか一項に記載の放電灯駆動装置。
【請求項１８】
前記放電灯の電極間電圧を検出する電圧検出部をさらに備え、
前記制御部は、検出された前記電極間電圧が第１所定値よりも大きい場合、または前記放電灯に供給される駆動電力が第２所定値よりも小さい場合、前記第２期間の代わりに、第５期間が設けられるように前記放電灯駆動部を制御し、
前記第５期間は、前記放電灯に直流電流が供給される第３直流期間、および前記第３直流期間において前記放電灯に供給される前記直流電流の極性と反対の極性を有する直流電流が前記放電灯に供給される第４直流期間を交互に含み、
前記第３直流期間の長さは、前記第４直流期間の長さよりも大きく、
前記第４直流期間の長さは、０．５ｍｓよりも小さく、
前記第４期間における前記第１直流期間の長さの合計は、前記第５期間における前記第３直流期間の長さの合計よりも大きい、請求項１から１７のいずれか一項に記載の放電灯駆動装置。
【請求項１９】
前記第５期間における前記第３直流期間の長さの合計は、５．０ｍｓ以上、１００ｍｓ以下である、請求項１８に記載の放電灯駆動装置。
【請求項２０】
前記第３期間の長さは、前記第２周波数を有する交流電流の６周期の長さ以上、３０周期の長さ以下である、請求項１から１９のいずれか一項に記載の放電灯駆動装置。
【請求項２１】
光を射出する放電灯と、
請求項１から２０のいずれか一項に記載の放電灯駆動装置と、
を備えることを特徴とする光源装置。
【請求項２２】
請求項２１に記載の光源装置と、
前記光源装置から射出される光を画像信号に応じて変調する光変調装置と、
前記光変調装置により変調された光を投射する投射光学系と、
を備えることを特徴とするプロジェクター。
【請求項２３】
電極を有する放電灯に駆動電流を供給して、前記放電灯を駆動する放電灯駆動方法であって、
前記放電灯に第１周波数を有する交流電流が供給される第１期間と、前記放電灯に直流電流が供給される第２期間とが交互に繰り返される混合期間と、
前記放電灯に前記第１周波数よりも小さい第２周波数を有する交流電流が供給される第３期間と、
前記放電灯に直流電流が供給される第１直流期間、および前記第１直流期間において前記放電灯に供給される前記直流電流の極性と反対の極性を有する直流電流が前記放電灯に供給される第２直流期間を交互に含む第４期間と、
が設けられ、
前記第１直流期間の長さは、前記第２直流期間の長さよりも大きく、
前記第２直流期間の長さは、０．５ｍｓよりも小さく、
前記第４期間における前記第１直流期間の長さの合計は、前記第２期間の長さよりも大きく、前記第２周波数を有する交流電流の半周期の長さよりも大きいことを特徴とする放電灯駆動方法。
【手続補正２】
【補正対象書類名】明細書
【補正対象項目名】００２９
【補正方法】変更
【補正の内容】
【００２９】
本発明の光源装置の一つの態様は、光を射出する放電灯と、上記の放電灯駆動装置と、を備えることを特徴とする。
【手続補正３】
【補正対象書類名】明細書
【補正対象項目名】０１１１
【補正方法】変更
【補正の内容】
【０１１１】
また、本実施形態において、第１期間Ｐ１の長さｔ１、すなわち、長さｔ１１〜ｔ１４の合計の長さは、例えば、１０ｍｓ（ミリ秒）以上、１０ｓ（秒）以下である。第１期間Ｐ１の長さｔ１がこのように設定されることで、第１電極９２の突起５５２ｐおよび第２電極９３の突起５６２ｐに好適に熱負荷を加えることができる。